(57)【要約】      （修正有）【課題】マッサージ師のハンドマッサージ感に近く、しかもさらに一段と心地よい感触を与えることができるエアーマッサージ器を提供する。【解決手段】くるぶし空気袋、すね空気袋、ひざ上空気袋及びふともも空気袋を有する足用ブーツカフを具えたエアーマッサージ器において、各空気袋の空気圧力を変化させたＡ〜Ｄの４種類の加圧パターンを組み合わせて、エアーマッサージを行う。Ｄ型加圧パターン、又はＣ型加圧パターン、又はＢ型加圧パターン、若しくは間にＡ型加圧パターンを挟みながらＣ型加圧パターン、Ｄ型加圧パターン、Ｂ型加圧パターン及びＣ型加圧パターンのエアーマッサージを行うことにより被施術者が心地良く、「さすり上げ」、「流す」、「押す」及び「もみほぐし」マッサージ効果を受けることができる。【選択図】図２
0003211015.tif 000002
【実用新案登録請求の範囲】
【請求項１】
くるぶし空気袋、すね空気袋、ひざ上空気袋及びふともも空気袋を有する足用ブーツカフ部を具えたエアーマッサージ器において、
上記くるぶし空気袋に第１回目のマッサージ空気を吸気して内部の空気を大気圧からマッサージ空気圧に上昇させた後当該マッサージ空気圧に固定し、
上記くるぶし空気袋への第１回目の吸気動作終了時、上記すね空気袋に第１回目のマッサージ空気を吸気して内部の空気を大気圧からマッサージ空気圧に上昇させ、
続いて上記くるぶし空気袋及び上記すね空気袋の状態を所定の保持時間の間保持した後、当該くるぶし空気袋及びすね空気袋内の上記マッサージ空気を同時に排気し、
その後、上記くるぶし空気袋に第２回目のマッサージ空気を吸気して内部の空気を大気圧からマッサージ空気圧に上昇させた後当該マッサージ空気圧に固定し、
上記くるぶし空気袋への第２回目の吸気動作終了時、上記すね空気袋に第２回目のマッサージ空気を吸気して内部の空気を大気圧からマッサージ空気圧に上昇させた後当該マッサージ空気圧に固定し、
上記すね空気袋への第２回目の吸気動作終了時、上記ひざ上空気袋にマッサージ空気を吸気して内部の空気を大気圧からマッサージ空気圧に上昇させ、
続いて上記くるぶし空気袋、上記すね空気袋及び上記ひざ上空気袋の状態を所定の保持時間の間保持した後、当該くるぶし空気袋、上記すね空気袋及び上記ひざ上空気袋内の上記マッサージ空気を同時に排気し、
その後上記くるぶし空気袋に第３回目のマッサージ空気を吸気して内部の空気を大気圧からマッサージ空気圧に上昇させた後当該マッサージ空気圧に固定し、
上記くるぶし空気袋への第３回目の吸気動作終了時、上記すね空気袋に第３回目のマッサージ空気を吸気して内部の空気を大気圧からマッサージ空気圧に上昇させた後当該マッサージ空気圧に固定し、
上記すね空気袋への第３回目の吸気動作終了時、上記ひざ上空気袋に第２回目のマッサージ空気を吸気してマッサージ空気圧に上昇させて当該マッサージ空気圧に固定し、
上記ひざ上空気袋への第２回目の吸気動作終了時、上記ふともも空気袋に上記マッサージ空気を吸気して内部の空気を大気圧からマッサージ空気圧に上昇させ、
続いて上記くるぶし空気袋、上記すね空気袋、上記ひざ上空気袋及び上記ふともも空気袋の状態を上記保持時間の間保持した後、当該くるぶし空気袋、上記すね空気袋、上記ひざ上空気袋及び上記ふともも空気袋内の上記マッサージ空気を同時に排気し、
これにより上記足用ブーツカフ部によってＤ型加圧パターンによる「さすり上げ」エアーマッサージ効果を実現する
ことを特徴とするエアーマッサージ器。
【請求項２】
くるぶし空気袋、すね空気袋、ひざ上空気袋及びふともも空気袋を有する足用ブーツカフ部を具えたエアーマッサージ器において、
上記くるぶし空気袋にマッサージ空気を吸気して内部の空気を大気圧からマッサージ空気圧に上昇させた後一旦当該マッサージ空気圧に固定した後、上記ふともも空気袋への吸気開始時に当該くるぶし空気袋のマッサージ空気を排気し、
上記くるぶし空気袋への吸気終了時に上記すね空気袋にマッサージ空気を吸気して内部の空気を大気圧からマッサージ空気圧に上昇させた後一旦当該マッサージ空気圧に固定した後、上記ふともも空気袋の吸気終了時に当該すね空気袋のマッサージ空気を排気し、
上記すね空気袋への吸気終了時に上記ひざ上空気袋にマッサージ空気を吸気して内部の空気圧を大気圧からマッサージ空気圧に上昇させた後一旦当該マッサージ空気圧に固定した後、上記すね空気袋の排気時から所定の保持時間の経過時に上記ひざ上空気袋のマッサージ空気を排気し、
上記ひざ上空気袋への吸気終了時に上記ふともも空気袋にマッサージ空気を吸気して内部の空気を大気圧からマッサージ空気圧に上昇させた後上記すね空気袋の排気時から上記所定の保持時間の経過後に上記ふともも空気袋のマッサージ空気を上記ひざ上空気袋の排気と同時に排気し、
これにより上記足用ブーツカフ部によってＣ型加圧パターンによる「流す」エアーマッサージ効果を実現する
ことを特徴とするエアーマッサージ器。
【請求項３】
くるぶし空気袋、すね空気袋、ひざ上空気袋及びふともも空気袋を有する足用ブーツカフ部を具えたエアーマッサージ器において、
上記くるぶし空気袋にマッサージ空気を吸気して内部の空気圧を大気圧からマッサージ空気圧に上昇させた後一旦当該マッサージ空気圧に固定し、
上記すね空気袋に上記マッサージ空気を吸気して内部の空気圧を大気圧からマッサージ圧に上昇させた後一旦当該マッサージ空気圧に固定すると共に、当該すね空気袋への吸気動作終了時に上記くるぶし空気袋に固定されているマッサージ空気圧のマッサージ空気を排気し、
同時に上記ひざ上空気袋に上記マッサージ空気を吸気して内部の空気圧を大気圧からマッサージ圧に上昇させた後一旦当該マッサージ空気圧に固定すると共に、当該ひざ上空気袋への吸気動作終了時に上記すね空気袋に固定されているマッサージ空気圧のマッサージ空気を排気し、
同時に上記ふともも空気袋に上記マッサージ空気を吸気して内部の空気圧を大気圧からマッサージ圧に上昇させた後一旦当該マッサージ空気圧に固定すると共に、所定の保持時間の経過時に上記ふともも空気袋に固定されているマッサージ空気圧のマッサージ空気を排気し、
これにより上記足用ブーツカフ部によってＢ型加圧パターンによる「押す」エアーマッサージ効果を実現する
ことを特徴とするエアーマッサージ器。
【請求項４】
くるぶし空気袋、すね空気袋、ひざ上空気袋及びふともも空気袋を有する足用ブーツカフ部を具えたエアーマッサージ器において、
上記くるぶし空気袋から上記すね空気袋及び上記ひざ上空気袋を介して上記ふともも空気袋に向って順次空気を入れると共に、上記くるぶし空気袋及び上記すね空気袋の空気を抜いて行くことにより押し上げながら「流す」エアーマッサージ効果を得るＣ型加圧パターンを実行し、
続いて上記くるぶし空気袋から上記すね空気袋及び上記ひざ上空気袋を介して上記ふともも空気袋に向って順次空気を入れると共に、当該空気を同時に抜くことにより脚全体を末端部から中心に向かってもみほぐす「もみほぐし」エアーマッサージ効果を得るＡ型加圧パターンを実行し、
続いて上記くるぶし空気袋から上記すね空気袋までと、上記くるぶし空気袋から上記ひざ上空気袋までと、上記くるぶし空気袋から上記ふともも空気袋までとを、間に排気時間をとりながらゆっくり加圧して行くことにより、足首ないしふくらはぎを重点的に擦り上げる「さすり上げ」エアーマッサージ効果を得るＤ型加圧パターンを実行し、
続いて上記くるぶし空気袋から上記すね空気袋及び上記ひざ上空気袋を介して上記ふともも空気袋に向って順次空気を入れると共に、当該空気を同時に抜くことにより脚全体を末端部から中心に向かってもみほぐす「もみほぐし」エアーマッサージ効果を得るＡ型加圧パターンを実行し、
続いて上記くるぶし空気袋から上記ふともも空気袋に向って順次上記くるぶし空気袋、上記すね空気袋、上記ひざ上空気袋及び上記ふともも空気袋について１箇所ずつ空気をいれることにより、脚を１箇所ずつ押す「押す」エアーマッサージ効果を得るＢ型加圧パターンを実行し、
続いて上記くるぶし空気袋から上記すね空気袋及び上記ひざ上空気袋を介して上記ふともも空気袋に向って順次空気を入れると共に、当該空気を同時に抜くことにより脚全体を末端部から中心に向かってもみほぐす「もみほぐし」エアーマッサージ効果を得るＡ型加圧パターンを実行し、
続いて上記くるぶし空気袋から上記すね空気袋及び上記ひざ上空気袋を介して上記ふともも空気袋に向って順次空気を入れると共に、上記くるぶし空気袋及び上記すね空気袋の空気を抜いていくことに押し上げながら「流す」エアーマッサージ効果を得るＣ型加圧パターンを実行し、
これにより被施術者が脚全体としてゆったりとした感触を受けながら気持良いエアーマッサージ効果を受けることができる
ことを特徴とするエアーマッサージ器。
【考案の詳細な説明】
【技術分野】
【０００１】
本考案はエアーマッサージ器に関し、特にできるだけ好ましい被施術感を、被施術者がエアーマッサージ器から受けることができるようにしようとするものである。
【背景技術】
【０００２】
従来から、エアーマッサージ器として、足先からふとももまでを空気袋で覆って、空気圧力を使ってエアーマッサージ効果を得るものが提案されている（特許文献１及び２参照）。
【先行技術文献】
【特許文献】
【０００３】
【特許文献１】特開２０１４−８２２７号公報
【特許文献２】特開２０１５−１７３７１０号公報
【考案の概要】
【考案が解決しようとする課題】
【０００４】
ところで一般に、エアーマッサージ器においては、空気袋への圧力空気の供給ないし排気の操作によって、被施術者にマッサージ師の手によるハンドマッサージ感に近い被施術感を適切に与えることが難しく、違和感を与えることも多いので、エアーマッサージ器を製造する際には、当該違和感をできるだけ軽減するような工夫をすることが需要である。
【０００５】
本考案は以上の点を考慮してなされたもので、空気袋において用いる空気圧力の変化のさせ方（すなわち加圧パターン）を工夫することによって、被施術者に対して、できるだけ手によるマッサージ師のハンドマッサージ感に近く、しかもさらに一段と心地よい感触を与えるような被施術感を得ることができるようにしたエアーマッサージ器を提案しようとするものである。
【課題を解決するための手段】
【０００６】
かかる課題を解決するため本考案においては、くるぶし空気袋、すね空気袋、ひざ上空気袋及びふともも空気袋を有する足用ブーツカフを具えたエアーマッサージ器において、くるぶし空気袋からすね空気袋までと、くるぶし空気袋からひざ上空気袋までと、くるぶし空気袋からふともも空気袋までとを、間に排気時間をとりながらゆっくり加圧して行くことにより、足首ないしふくらはぎを重点的に擦り上げる「さすり上げ」エアーマッサージ効果を得るＤ型加圧パターンを実行する。
また本考案においては、くるぶし空気袋からすね空気袋及びひざ上空気袋を介してふともも空気袋に向って順次空気を入れると共に、くるぶし空気袋及びすね空気袋の空気を抜いて行くことにより押し上げながら「流す」エアーマッサージ効果を得るＣ型加圧パターンを実行する。
さらに本考案においては、くるぶし空気袋からふともも空気袋に向って順次くるぶし空気袋、すね空気袋、ひざ上空気袋及びふともも空気袋について１箇所ずつ空気をいれることにより、脚を１箇所ずつ押す「押す」エアーマッサージ効果を得るＢ型加圧パターンを実行する。
またさらに本考案においては、間にＡ型加圧パターンを挟みながら、順次Ｃ型加圧パターン、Ｄ型加圧パターン、Ｂ型加圧パターン及びＣ型加圧パターンによるエアーマッサージ動作を実行する。
【考案の効果】
【０００７】
本考案によれば、Ｄ型加圧パターン、又はＣ型加圧パターン、又はＢ型加圧パターン、若しくは間にＡ型加圧パターンを挟みながらＣ型加圧パターン、Ｄ型加圧パターン、Ｂ型加圧パターン及びＣ型加圧パターンのエアーマッサージを行うことにより被施術者が心地良く、「さすり上げ」、「流す」、「押す」及び「もみほぐし」マッサージ効果を受けることができる。
【図面の簡単な説明】
【０００８】
【図１】本考案によるエアーマッサージ器の一実施の形態を示す略線図である。
【図２】エアーマッサージ施術の加圧パターンを示す各ソレノイドバルブ開閉図である。
【図３】（Ａ）、（Ｂ）及び（Ｃ）はＡ型加圧パターンを示す各ソレノイドバルブ開閉図、加圧順序を示す略線図及び設定時間表である。
【図４】（Ａ）、（Ｂ）及び（Ｃ）はＢ型加圧パターンを示す各ソレノイドバルブ開閉図、加圧順序を示す略線図及び設定時間表である。
【図５】（Ａ）、（Ｂ）及び（Ｃ）はＣ型加圧パターンを示す各ソレノイドバルブ開閉図、加圧順序を示す略線図及び設定時間表である。
【図６】（Ａ）、（Ｂ）及び（Ｃ）はＤ型加圧パターンを示す各ソレノイドバルブ開閉図、加圧順序を示す略線図及び設定時間表である。
【図７】（Ａ）、（Ｂ）、（Ｃ）及び（Ｄ）は「流す」、「もみほぐし」、「さすり上げ」及び「押す」マッサージ効果の説明に供する略線図である。
【考案を実施するための形態】
【０００９】
以下図面について、本考案の一実施の形態を詳述する。
【００１０】
（１）全体構成
図１において、１は、全体としてエアーマッサージ器を示し、ブーツカフ２の左足用ブーツカフ部３Ｌ及び右足用ブーツカフ部３Ｒに対して中央操作器部４から空気を、同じタイミングで、供給できるようになされている。
【００１１】
図１において、左足用ブーツカフ３Ｌ及び右足用ブーツカフ３Ｒは相互に対応する構成を有するので、以下においては、左足用ブーツカフ３Ｌについて説明し、右足用ブーツカフ３Ｒについては同様とする。
【００１２】
左足用ブーツカフ部３Ｌは、くるぶし空気袋（これをカフ１とも呼ぶ）１１、すね空気袋（これをカフ２とも呼ぶ）１２、ひざ上空気袋（これをカフ３とも呼ぶ）１３及びふともも空気袋（これをカフ４とも呼ぶ）１４を順次被施術者の左足からふとももに対応するように順次接合した構成を有する。
【００１３】
この実施の形態の場合、くるぶし空気袋１１及びすね空気袋１２は、被施術者の左足の足先及びすね部に亘って左右から覆うように空気袋部材が設けられ、被施術者が足を足先からすね空気袋１２及びくるぶし空気袋１１に差し込んだ状態でファスナ１１Ｘ及び１２Ｘを引き上げることにより、くるぶし空気袋１１及びすね空気袋１２が被施術者の足先部分からすね部分を覆うように装着できるようになされている。
【００１４】
これに対して、ひざ上空気袋１３及びふともも空気袋１４にはファスナに代えて締付シート部材１５が設けられ、被施術者がひざ上空気袋１３及びふともも空気袋１４を開いた状態で左足を挿入した後、締付シート部材１５を当該開口を塞ぐように締め付け固着することにより、ひざ上空気袋１３及びふともも空気袋１４が被施術者の左足のひざ上部分及びふともも部分を覆うように装着できるようになされている。
【００１５】
この実施の形態の場合、締付シート部材１５の根元側の内側部分１５Ｘはひざ上空気袋１３及びふともも空気袋１４の範囲に亘って固着されているのに対して、先端側の外側部分１５Ｙに設けられたマジックテープ（登録商標）によってひざ上空気袋１３及びふともも空気袋１４の内側表面に押し付け固着することができ、これによりひざ上空気袋１３及びふともも空気袋１４を被施術者の左足のひざ上部分及びふともも部分を締め付けることができる。
【００１６】
空気チューブ５Ａ、５Ｂ、５Ｃ及び５Ｄの根元側端部は中央操作器部４のエアー供給プラグ１６に結合すると共に、その先端部はそれぞれくるぶし空気袋１１、すね空気袋１２、ひざ上空気袋１３及びふともも空気袋１４に設けられているエアー先端プラグ１７Ａ、１７Ｂ、１７Ｃ及び１７Ｄに結合され、これにより中央操作器部４はくるぶし空気袋１１、すね空気袋１２、ひざ上空気袋１３及びふともも空気袋１４に対して個別に圧力空気の供給及び排気を図２に示すエアー加圧パターン２０に従って付与できるようになされている。
【００１７】
（２）エアー加圧パターン
図２のエアー加圧パターン２０はエアーマッサージ施術期間Ｔｔの間に、図３（Ａ）に示すＡ型加圧パターンＴＭＡでなる第１、第２及び第３のＡ型加圧パターンＴＭＡ２、ＴＭＡ４及びＴＭＡ６と、図４（Ａ）に示すＢ型加圧パターンＴＭＢでなる第１のＢ型加圧パターンＴＭＢ５と、図５（Ａ）に示すＣ型加圧パターンＴＭＣでなる第１及び第２のＣ型加圧パターンＴＭＣ１及びＴＭＣ２と、図６（Ａ）に示すＤ型加圧パターンＴＭＤでなる第１のＤ型加圧パターンＴＭＤ３とを組み合わせることにより、マッサージ師が行うハンドマッサージ効果に相当するエアーマッサージ施術効果を実現する。
【００１８】
この実施の形態の場合、中央操作器部４の操作スイッチ部４Ａにおいて、被施術者が加圧パターンを選択することにより、中央操作器部４内に設けられたエアーポンプが起動して、流れてくる空気がソレノイドバルブＳＶ１、ＳＶ２、ＳＶ３及びＳＶ４を介してエアー供給プラグ１６より空気チューブ５Ａ、５Ｂ、５Ｃ、５Ｄを通り、カフの空気袋に供給されることにより、カフ内の空気を大気圧から所定のマッサージ圧力まで上昇させて行き、各パターン通りの吸気、保持、排気を行う。
【００１９】
供給されたカフ１〜カフ４は当該供給された空気を吸気する状態になることにより、その内部圧力が所定のカフ１〜カフ４吸気時間Ｔ１〜Ｔ４の間に大気圧から所定のマッサージ圧力にまで上昇して行き、当該吸気時間Ｔ１〜Ｔ４が経過した後に、当該所定のマッサージ圧力を維持する場合は当該所定のマッサージ圧力をソレノイドバルブＳＶ１〜ＳＶ４で制御し維持させる。
【００２０】
この結果カフ１〜カフ４は、吸気時間Ｔ１〜Ｔ４の間、内部圧力が大気圧から所定のマッサージ圧力になるまで上昇する間、被施術者の「くるぶし」ないし「ふともも」に対して弱い圧迫圧力から上記所定のマッサージ圧に対応する強い圧迫圧力まで徐々に強くなる圧迫圧力でエアーマッサージ動作をし、以後当該所定のマッサージ圧に対応する圧迫圧力でエアーマッサージ動作を続ける。
【００２１】
（２−１）Ａ型加圧パターン
図３（Ａ）のＡ型加圧パターンＴＭＡは、図２によるエアーマッサージ施術期間内において、Ｃ型加圧パターンＴＭＣ1の後と、Ｄ型加圧パターンＴＭＤ３の後と、Ｂ型加圧パターンＴＭＢ５の後に各設定され時点ｔ１においてカフ１用のソレノイドバルブＳＶ１をカフ１吸気時間Ｔ１の間オン動作させる。
【００２２】
このカフ１用のソレノイドバルブＳＶ１はエアー供給プラグ１６Ａから空気チューブ５Ａを介してくるぶし空気袋１１のエアー先端プラグ１７Ａに所定のマッサージ圧の空気を供給し、これによりくるぶし空気袋１１に充填された空気よってくるぶし部分を圧迫する状態にする。
【００２３】
このカフ１内の圧力は、時点ｔ１においてソレノイドバルブＳＶ１がオン動作するまでの間は外気の圧力と同じ圧力であったのに対してソレノイドバルブＳＶ１がオン動作した後カフ１吸気時間Ｔ１の間にくるぶし空気袋１１内の圧力は大気圧から中央操作器部４内に設けられたエアーポンプによる所定のマッサージ圧力になるまで徐々に上昇し、カフ１吸気時間Ｔ１が終了した時点ｔ２以後上昇した当該所定のマッサージ圧力を維持する。
【００２４】
時点ｔ２においてカフ１吸気時間Ｔ１が終了すると、中央操作器部４はカフ２用のソレノイドバルブＳＶ２をオン動作させることによりエアー供給プラグ１６から空気チューブ５Ｂを介してすね空気袋１２のエアー先端プラグ１７Ｂに空気を供給するカフ２吸気時間Ｔ２に入る。
【００２５】
このカフ２吸気時間Ｔ２においても、すね空気袋１２内の圧力は大気圧から徐々に空気圧が上昇して行き、やがてカフ２吸気時間Ｔ２が終了する時点ｔ３において所定のマッサージ圧力になって以後当該マッサージ圧力を維持する。
【００２６】
このカフ２吸気時間Ｔ２が終了した時点ｔ３になると中央操作器部４はカフ３用のソレノイドバルブＳＶ３をオン動作させることによりカフ３吸気時間Ｔ３に入る。
【００２７】
このとき中央操作器部４はエアー供給プラグ１６から空気チューブ５Ｃを介してひざ上空気袋１３に対して圧力空気を供給し始め、当該カフ３吸気時間Ｔ３が終了する時点ｔ４までの間にひざ上空気袋１３内の空気を大気圧から所定のマッサージ圧力にまで上昇させて行く。
【００２８】
やがてカフ３吸気時間Ｔ３の終了時点ｔ４になるとひざ上空気袋１３内の空気圧が所定のマッサージ圧力に到達し、その後当該空気圧力を維持する。
【００２９】
この状態になると、中央操作器部４はカフ４吸気時間Ｔ４に入ってエアー供給プラグ１６から空気チューブ５Ｄを介してふともも空気袋１４のエアー先端プラグ１７Ｄに所定のマッサージ圧まで空気を供給し始める。
【００３０】
このときふともも空気袋１４内の空気圧はカフ４吸気時間Ｔ４が終了する時点ｔ５までの間に内部の空気圧力を外部圧力と等しい圧力から所定のマッサージ圧力にまで上昇させて行き、カフ４吸気時間Ｔ４の終了時点ｔ５において当該所定のマッサージ圧力になるとその後比較的短かい保持時間Ｔｈ（＝２．０［秒］）の間この圧力を維持する。
【００３１】
中央操作器部４は、保持時間Ｔｈの終了時点ｔ６になると、カフ１、カフ２、カフ３及びカフ４のソレノイドバルブＳＶ１、ＳＶ２、ＳＶ３及びＳＶ４を時点ｔ７までの全カフ排気時間Ｔ０の間排気動作をさせ、これによりくるぶし空気袋１１、すね空気袋１２、ひざ上空気袋１３及びふともも空気袋１４内に維持していた空気を、それぞれエアー先端プラグ１７Ａ−空気チューブ５Ａ−エアー供給プラグ１６、１７Ｂ−５Ｂ−１６、１７Ｃ−５Ｃ−１６及び１７Ｄ−５Ｄ−１６を介して、中央操作器部４の内部において、ソレノイドバルブＳＶ１、ＳＶ２、ＳＶ３及びＳＶ４から一斉に大気に放出し、これによりブーツカフ２内の空気圧力を同時に外部の大気圧にまで低下させる。
【００３２】
かくして中央操作器部４はＡ型加圧パターンＴＭＡの１サイクル分の加圧動作を終了し、時点ｔ７以降当該Ａ型加圧パターンを複数回例えば５回繰り返すことにより、Ａ型加圧パターンＴＭＡによるマッサージ動作を終了する。
【００３３】
このＡ型加圧パターンＴＭＡは、図７（Ｂ）に示すような「もみほぐし」エアーマッサージを行う。
【００３４】
すなわちくるぶし空気袋１１から順次すね空気袋１２、ひざ上空気袋１３及びふともも空気袋１４について、図３（Ｂ）において白丸を付して示すと共に、図３（Ｃ）において時間を例示するように、カフ１吸気時間Ｔ１（＝４．５［秒］）、カフ２吸気時間Ｔ２（＝５．０［秒］）、カフ３吸気時間Ｔ３（＝５．０［秒］）及びカフ４吸気時間Ｔ４（＝５．０［秒］）の間に吸気動作及び所定のマッサージ圧固定動作を行った後、黒丸を付して示すように、保持時間Ｔｈ（＝２．０［秒］）の間当該所定のマッサージ圧力を保持させると共に、当該保持時間Ｔｈの経過時にカフ１、カフ２、カフ３及びカフ４内の圧力を全カフ排気時間Ｔ０（＝６．０［秒］）の間に同時に排気させることにより、図７（Ｂ）に示すように、足先からふとももに向ってもみほぐすようなマッサージ師による「もみほぐし」マッサージに相当するエアーマッサージ効果を得る。
【００３５】
因みに、図３（Ｂ）において、白丸「１」、「２」、「３」及び「４」で示すように、カフ１、２、３及び４の内部圧力を、吸気時間Ｔ１、Ｔ２、Ｔ３及びＴ４において大気圧から所定のマッサージ圧にまで上昇させて行く間に、「くるぶし」、「すね」、「ひざ上」及び「ふともも」に順次比較的やさしい加圧動作から強めて行く間に足先側のカフの空気圧を所定のマッサージ圧に固定して行くことにより、足先からふとももまで「もみほぐし」エアーマッサージ動作をさせる。
【００３６】
続いて黒丸「１」、「２」、「３」及び「４」で示すように、比較的短かい保持時間Ｔｈの間カフ１、２、３及び４の内部圧力を所定のマッサージ圧に保持した後、全カフ排気時間Ｔ０において全てのカフ１、２、３及び４を排気して同時に一挙に大気圧に戻すことにより、１サイクル分の「もみほぐし」エアーマッサージ動作の「しめの動作」（終了感）を被施術者に認識させる。
【００３７】
（２−２）Ｂ型加圧パターン
中央操作器部４は図２の第１のＢ型加圧パターンＴＭＢ（ＴＭＢ５）について、図４（Ａ）に示すように、時点ｔ１１からｔ１２までのカフ１吸気時間Ｔ１の間カフ１のソレノイドバルブＳＶ１をオン動作させることにより、くるぶし空気袋１１に空気を吸気させて当該カフ１のくるぶし空気袋１１の空気圧を大気圧から所定のマッサージ圧にまで上昇させて行き、カフ１吸気時間Ｔ１の終了時点ｔ１２においてくるぶし空気袋１１の空気圧を所定のマッサージ圧に固定する。
【００３８】
ここで中央操作器部４は、カフ１吸気時間Ｔ１の終了時点ｔ１２からカフ２吸気時間Ｔ２を開始してソレノイドバルブＳＶ２をオン動作させることによりカフ２の内部圧力を大気圧から所定のマッサージ圧にまで上昇させた後、カフ２吸気時間Ｔ２の終了時点ｔ１３においてマッサージ圧に固定させる。
【００３９】
続いて中央操作器部４は、カフ２吸気時間Ｔ２の終了時点ｔ１３からカフ３吸気時間Ｔ３を開始してソレノイドバルブＳＶ３をオン動作させることによりカフ３の内部圧力を大気圧から所定のマッサージ圧にまで上昇させた後、カフ３吸気時間Ｔ３の終了時点ｔ１４においてマッサージ圧に固定させると共に、時点ｔ１３においてソレノイドバルブＳＶ１を排気動作させることによりカフ１の内部圧力を大気圧に戻す。
【００４０】
続いて中央操作器部４は、カフ３吸気時間Ｔ３の終了時点ｔ１４からカフ４吸気時間Ｔ４を開始してソレノイドバルブＳＶ４をオン動作させることによりカフ４の内部圧力を大気圧から所定のマッサージ圧にまで上昇させた後、カフ４吸気時間Ｔ４の終了時点ｔ１５において所定のマッサージ圧に固定させると共に、時点ｔ１４においてソレノイドバルブＳＶ２を排気動作させることによりカフ２の内部圧力を大気圧に戻す。
【００４１】
続いて中央操作器部４は、カフ３吸気時間Ｔ３の終了時点ｔ１４からカフ４吸気時間Ｔ４を開始してソレノイドバルブＳＶ４をオン動作させることによりカフ４の内部圧力を大気圧から所定のマッサージ圧にまで上昇させた後、カフ４吸気時間Ｔ４の終了時点ｔ１５においてソレノイドバルブＳＶ３を排気動作させることによりカフ３の内部圧力を大気圧に戻す。
【００４２】
これと共に、時点ｔ１５から時点ｔ１６までの保持時間Ｔｈの間カフ４の内部圧力を所定のマッサージ圧に保持した後、時点ｔ１６から全カフ排気時間Ｔ０の間ソレノイドバルブＳＶ４を排気動作させてカフ４の内部圧力を大気圧に戻す。
【００４３】
かくして中央操作器部４は図４（Ｂ）及び（Ｃ）に示すように、カフ１、２、３及び４のカフ吸気時間Ｔ１、Ｔ２、Ｔ３及びＴ４の間にカフ１、２、３及び４に所定のマッサージ圧力を吸気させると共に、排気時間Ｔ０１、Ｔ０２．２、Ｔ０３及びＴ０において排気動作をさせることにより、カフ１、２、３及び４に相当する部位を１か所ずつ移動しながら圧迫動作をし、これにより図７（Ｄ）に示すように、マッサージ師が足先からふとももに向かって１か所ずつ移動しながら押すように加圧する際に得られるマッサージ効果と同様の「押す」エアーマッサージ効果を得ることができる。
【００４４】
そして排気動作の際には、図４（Ｂ）に示すように、保持時間Ｔｈの間カフ４について比較的短かい時間（この実施の形態の場合２［秒］間）強い圧迫状態を保持した直後の全カフ排気時間Ｔ０に排気動作することにより、１サイクル分の「押す」マッサージ動作の「しめの動作」（終了感）を被施術者に強く感じさせることができる。
【００４５】
（２−３）Ｃ型加圧パターン
Ｃ型加圧パターンは中央操作器部４の操作スイッチ部４Ａを被施術者が操作することにより図５（Ａ）に示すように、動作開始スイッチＡＰを時点０においてオン動作させた後、初期エアー吸入時間ＴＳが経過した時点ｔ２１からｔ２２までのカフ１吸気時間Ｔ１においてカフ１のソレノイドバルブＳＶ１をオン動作させることによりカフ１の内部の空気圧力を大気圧から所定のマッサージ圧に上昇させ、その後時点ｔ２４まで内部の空気圧力を所定のマッサージ圧に固定する。
【００４６】
続いて中央操作器部４は時点ｔ２２からｔ２３までのカフ２吸気時間Ｔ２においてカフ２のソレノイドバルブＳＶ２をオン動作させてカフ２の内部圧力を大気圧から所定のマッサージ圧に上昇させ、この状態を時点ｔ２５まで維持させる。
【００４７】
続いて中央操作器部４は時点ｔ２３からｔ２４までのカフ３吸気時間Ｔ３においてカフ３用ソレノイドバルブＳＶ３をオン動作させることによりカフ３の内部の空気圧力を大気圧から所定のマッサージ圧にまで上昇させ、この状態を時点ｔ２５まで維持させる。
【００４８】
続いて中央操作器部４は時点ｔ２４からｔ２５までのカフ４吸気時間Ｔ４においてカフ４用ソレノイドバルブＳＶ４をオン動作させ、カフ４内部の空気圧力を大気圧から所定のマッサージ圧へ上昇させた後保持時間Ｔｈの間カフ用ソレノイドバルブＳＶ３と共にカフ３及び４の所定マッサージ圧を保持動作させる。
【００４９】
このような動作の間に、中央操作器部４は時点ｔ２４及びｔ２５においてカフ１用ソレノイドバルブＳＶ１及びカフ２用ソレノイドバルブＳＶ２を順次排気動作させることによりカフ１及びカフ２の内部の圧力を順次大気圧に戻す。
【００５０】
さらに中央操作器部４は時点ｔ２５からｔ２６までの保持時間Ｔｈの間カフ３用ソレノイドバルブＳＶ３及びカフ４用ソレノイドバルブＳＶ４を保持動作させることにより、カフ３及びカフ４の内部の圧力を所定のマッサージ圧に維持させた後、当該保持時間Ｔｈが経過した時点ｔ２６において全カフ排気時間Ｔ０に入ってソレノイドバルブＳＶ３及びＳＶ４を同時に排気動作させることによりカフ３及びカフ４の内部の気圧を大気圧に戻す。
【００５１】
かくして中央操作器部４は時点ｔ２１からｔ２７までの間に１サイクル分のＣ型加圧パターンを実行し、その後６回繰り返し加圧動作を行う。
【００５２】
このＣ型加圧パターンにおいて、エアーマッサージ効果としては、図５（Ｂ）及び（Ｃ）に示すように、カフ１及びカフ２について吸気時間Ｔ１及びＴ２に続く強い所定のマッサージ圧力の固定期間が比較的長いのに対して、カフ３及びカフ４の固定期間が順次短かくなっているので、くるぶし空気袋１１及びすね空気袋１２に相当する足先及びすね部分における圧迫力を抜きながらひざ上空気袋１３及びふともも空気袋１４の圧力を保持時間Ｔｈを含めて所定のマッサージ圧力に保持した後全カフ排気時間Ｔ０の間に同時に大気圧に降下させることにより、図７（Ａ）に示すように、足先からふとももに向けて押し上げながら流すような「流す」マッサージに相当するエアーマッサージ効果を得ることができる。
【００５３】
（２−４）Ｄ型加圧パターン
中央操作器部４は、Ｄ型加圧パターンに移行したとき、図６（Ａ）に示すように、時点ｔ３１からｔ３２のカフ１吸気時間Ｔ１においてカフ１に所定のマッサージ空気圧を吸気させ、これによりカフ１を大気圧から所定のマッサージ圧に上昇させ、続いて時点ｔ３２からｔ３３のカフ２吸気時間Ｔ２の間において当該所定のマッサージ圧に固定させ、続いて時点ｔ３３からｔ３４の保持時間Ｔｈの間この状態を保持させる。
【００５４】
続いて中央操作器部４は時点ｔ３４からｔ３５の全カフ排気時間Ｔ０においてソレノイドバルブＳＶ１及びＳＶ２を同時に排気動作させ、これによりカフ１及びカフ２の内部の圧力を同時に所定のマッサージ圧から大気圧に戻す。
【００５５】
続いて中央操作器部４は当該全カフ排気時間Ｔ０を第１の休み時間として、続く時点ｔ３５からｔ３６のカフ１吸気時間Ｔ１においてカフ１用ソレノイドバルブＳＶ１をオン動作させてカフ１を吸気動作させることにより内部の圧力を大気圧から所定のマッサージ圧に上昇させた後、時点ｔ３８まで内部の圧力を当該所定のマッサージ圧力に固定させる。
【００５６】
これと共に、中央操作器部４はカフ２用ソレノイドバルブＳＶ２を時点ｔ３６からｔ３７までのカフ２吸気時間Ｔ２の間吸気動作をさせることにより、カフ２の内部圧力を大気圧から所定のマッサージ圧にまで上昇させこの所定のマッサージ圧を時点ｔ３７からｔ３８までの間固定させる。
【００５７】
続いて中央操作器部４はカフ３について時点ｔ３７からｔ３８までのカフ３吸気時間Ｔ３の間吸気動作させることにより、内部の圧力を大気圧から所定のマッサージ圧にまで上昇させる。
【００５８】
かくしてカフ１、カフ２及びカフ３が所定のマッサージ圧を内部に保持した状態において、中央操作器部４は時点ｔ３８からｔ３９の保持時間Ｔｈの間この状態を保持させ、続いて時点ｔ３９からｔ４０の全カフ排気時間Ｔ０の間にソレノイドバルブＳＶ１、ＳＶ２及びＳＶ３を同時に排気動作させることよりカフ１、カフ２及びカフ３の内部の圧力を同時に所定のマッサージ圧から大気圧に戻す。
【００５９】
このカフ１、２及び３の全カフ排気時間Ｔ０は第２の休み時間に相当し、続いて中央操作器部４は時点ｔ４０からｔ４１までのカフ１吸気時間Ｔ１においてソレノイドバルブＳＶ１を吸気動作させることにより、カフ１の内部圧力を大気圧から所定のマッサージ圧に上昇させ、その後時点ｔ４１からｔ４４までカフ１内の圧力を所定のマッサージ圧に固定する。
【００６０】
続いて中央操作器部４は時点ｔ４１からｔ４２までのカフ２吸気時間Ｔ２においてカフ２に空気を供給することにより大気圧から所定のマッサージ圧にまで上昇させると共に、続く時点ｔ４２からｔ４４までの間当該所定のマッサージ圧を固定する。
【００６１】
続いて中央操作器部４は時点ｔ４２からｔ４３までのカフ３吸気時間Ｔ３においてソレノイドバルブＳＶ３をオン動作させることによりカフ３内の空気を大気圧から所定のマッサージ圧に上昇させると共に、時点ｔ４３からｔ４４までの間当該所定のマッサージ圧を固定させる。
【００６２】
続いて中央操作器部４は時点ｔ４３からｔ４４までのカフ４吸気時間Ｔ４において圧力空気を吸気させることにより内部の圧力を大気圧から所定のマッサージ圧にまで上昇させる。
【００６３】
かくして時点ｔ４４においてカフ１、２、３及び４に所定のマッサージ圧を形成した状態が得られ、このとき中央操作器部４は時点ｔ４４からｔ４５までの保持時間Ｔｈの間この状態を保持させる。
【００６４】
その後時点ｔ４５になると中央操作器部４は時点ｔ４６までの全カフ排気時間Ｔ０の間ソレノイドバルブＳＶ１、ＳＶ２、ＳＶ３及びＳＶ４を同時に排気動作させることによりカフ１、２、３及び４の内部の圧力を所定のマッサージ圧から大気圧に戻す。
【００６５】
この状態はカフ１、２、３及び４を第３の休み動作にさせた状態になる。
【００６６】
ここで、中央操作器部４は、１サイクル分のＤ型加圧パターンの実行を終了し、その後続いて５サイクル分のＤ型加圧パターンの実行を繰り返す。
【００６７】
このＤ型加圧パターンＴＭＤによるカフ１、カフ２、カフ３及びカフ４に対する加圧パターンのマッサージ効果としては、図６（Ｂ）及び（Ｃ）に示すように、先ずカフ１及びカフ２の内部の空気を大気圧から所定のマッサージ圧まで上昇させた状態で（白丸「１」及び「２」）一旦保持した後（黒丸「１」及び「２」）、同時に排気させ、これにより足先からすねまでの部位を比較的短かい時間の間に所定のマッサージ圧で圧迫する。
【００６８】
続いて全カフ排気時間Ｔ０（＝６．０［秒］）の間一旦圧迫状態を大気圧に戻して休み動作を入れた後、圧迫した状態を足先からひざ上まで拡げるべくカフ１、カフ２及びカフ３の内部の空気を所定のマッサージ圧まで上昇させた状態（白丸「１」、「２」及び「３」）を一旦保持した後（黒丸「１」、「２」及び「３」）、全カフ排気時間Ｔ０（＝６．０［秒］）の間同時に排気させることにより足先からひざ上まで比較的長い時間の間所定のマッサージ圧で圧迫する。
【００６９】
全カフ排気時間Ｔ０の間一旦圧迫状態を休んだ後、圧迫状態を足先からふとももまで拡げるべくカフ１、カフ２、カフ３及びカフ４の内部の圧力を所定のマッサージ圧まで上昇させた状態にし（白丸「１」、「２」、「３」及び「４」）、一旦このマッサージ圧を保持時間Ｔｈの間保持した後（黒丸「１」、「２」、「３」及び「４」）、全カフ排気時間Ｔ０の間に当該所定のマッサージ圧の圧迫を終了する。
【００７０】
このエアーマッサージ効果は、まず足先からすねまで圧縮力を移した後一旦休む状態になり、続いて足先からすねを通ってひざ上まで圧縮力を与えていくようなマッサージを行った後、休みを挟んでくるぶしからすね及びひざ上を通ってふとももまで圧縮力を与えるようなマッサージを行うことになり、このエアーマッサージ効果は、図７（Ｃ）に示すように、マッサージ師が足先からふとももまでさすり上げる「さすり上げ」マッサージ効果に相当する。
【００７１】
（３）エアーマッサージ施術
上述したエアーマッサージ器１を用いた図２のエアーマッサージ施術は、Ａ型、Ｂ型、Ｃ型及びＤ型加圧パターンを組み合わせながら、被施術者が中央操作器部４を用いてマッサージ施術を行う。
【００７２】
中央操作器部４は、被施術者が図２の時点ｐ１において操作スイッチ部４Ａにおいて電源投入操作をした後、時点ｐ２においてエアーマッサージ施術を開始し、エアーマッサージ施術期間Ｔｔの間エアーマッサージ施術を行った結果時点ｐ３においてエアーマッサージ施術を終了する。
【００７３】
中央操作器部４は、エアーマッサージ施術開始時点ｐ２から第１のＣ型加圧パターンＴＭＣ１によるエアーマッサージ施術を行う。
【００７４】
この第１のＣ型加圧パターンＴＭＣ１のエアーマッサージは、図５について上述したように、カフ１及び２の空気圧が抜けて行くような動作をさせるので、足先からふとももの方向に押し上げながら流すような「流す」マッサージ効果に相当するエアーマッサージ動作を１サイクル分に続いて６回繰り返すことにより、被施術者は足から体の中心に向かって血液を流すような「流す」エアーマッサージ効果を実現する。
【００７５】
この第１のＣ型加圧パターンＴＭＣ１に続いて中央操作器部４は、図３について上述した第１のＡ型加圧パターンＴＭＡ２を実行し、これにより足先からふとももに向かって足全体を末端側から体の中心に向かってもみほぐす「もみほぐし」マッサージに相当するエアーマッサージ効果を１サイクル分に続いて５回繰り返すことにより実現する。
【００７６】
続いて中央操作器部４は図６について上述した第１のＤ型加圧パターンＴＭＤ３に入り、足先からすね及びひざ上を通ってふとももまでさすり上げる「さすり上げ」エアーマッサージ動作を１サイクル分に続いて５回繰り返すことにより実現する。
【００７７】
続いて中央操作器部４は図３について上述した第２のＡ型加圧パターンＴＭＡ４を４回繰り返し実行することにより足先からふとももに向かって足全体を末端部から中心に向かってもみほぐす「もみほぐし」エアーマッサージ効果を実現する。
【００７８】
続いて中央操作器部４は図４について上述した第１のＢ型加圧パターンＴＭＢ５を１サイクル分に続いて５回繰り返すことにより、くるぶし、すね、ひざ上及びふとももの部位を、１か所ずつ移動しながら押すいわゆる「押す」エアーマッサージ効果を実現する。
【００７９】
続いて中央操作器部４は図４について上述した第３のＡ型加圧パターンＴＭＡ６を５回繰り返すことにより、足先からふとももに向かって足全体を末端部から中心に向かってもみほぐす「もみほぐし」エアーマッサージを行う。
【００８０】
さらに中央操作器部４は、図５について上述した第２のＣ型加圧パターンＴＭＣ２を６回繰り返すことにより、足のカフ１及び２の空気圧が抜けて行くので、押し上げながら流すような「流す」エアーマッサージ動作を行うことによりエアーマッサージ施術期間Ｔｔ全体としてエアー加圧パターン２０を終了する。
【００８１】
以上の構成によれば、間にＡ型加圧パターンＴＭＡ２、ＴＭＡ４及びＴＭＡ６による「もみほぐし」エアーマッサージ動作を間に挟みながら、Ｃ型加圧パターンＴＭＣ１、Ｄ型加圧パターンＴＭＤ３、Ｂ型加圧パターンＴＭＢ５及びＣ型加圧パターンＴＭＣ２を順次実行することにより全体として、「もみほぐし」エアーマッサージ動作を間に挟んで「流す」エアーマッサージ動作、「さすり上げ」エアーマッサージ動作、「押す」エアーマッサージ動作及び「流す」エアーマッサージ動作をマッサージ効果に変化をつけながら、被施術者にマッサージによる気持ちよい感触を与えながらエアーマッサージすることができる。
【００８２】
（４）他の実施の形態
（４−１）上述の実施の形態においては、被施術者が自分で中央操作器部４を操作しながら、エアーマッサージ動作を行なう、いわゆる家庭用エアーマッサージ器に本考案を適用したが、これに代え、エアーマッサージを専門に行ういわゆる営業用エアーマッサージ器に適用しても、上述の場合と同様の作用効果を得ることができる。
【産業上の利用可能性】
【００８３】
本考案はエアーマッサージ器に広く利用できる。
【符号の説明】
【００８４】
１……エアーマッサージ器、２……ブーツカフ、３Ｌ、３Ｒ……左足用、右足用ブーツカフ部、４……中央操作器部、４Ａ……操作スイッチ部、５Ａ〜５Ｄ……空気チューブ、１１……くるぶし空気袋、１２……すね空気袋、１３……ひざ上空気袋、１４……ふともも空気袋、１５……締付シート部材、１６……エアー供給プラグ、１７Ａ〜１７Ｄ……エアー先端プラグ。
【図１】
0003211015.tif 000003
【図２】
0003211015.tif 000004
【図３】
0003211015.tif 000005
【図４】
0003211015.tif 000006
【図５】
0003211015.tif 000007
【図６】
0003211015.tif 000008
【図７】
0003211015.tif 000009